(57)【要約】  【課題】複数の支柱を横架材により連結してなる家具の前方に既存の机等を配置する場合において、机等の幅寸法とこの家具の幅寸法とが略一致させてこの家具及び机等を配置する際に、この家具の脚を机等の脚と干渉しないようにする。  【解決手段】床面上に起立させる複数の支柱１と、対をなす支柱１、１の下端部間を接続する下横架材２と、この下横架材２に、該下横架材２の長手方向に沿って位置変更可能に取り付けられ、床面に接する脚４とを具備することを特徴とする家具Ｆを用いる。  【選択図】図２
2006204770.tif 000002
【特許請求の範囲】
【請求項１】
床面上に起立させる複数の支柱と、支柱の下端部間を接続する下横架材と、この下横架材に、該下横架材の長手方向に沿って位置変更可能に取り付けられ、床面に接する脚とを具備することを特徴とする家具。
【請求項２】
前記支柱を、所定の間隔で離間させて設けていることを特徴とする請求項１記載の家具。
【請求項３】
前記脚を、前記下横架材の長手方向に沿ってスライド移動可能かつ該下横架材の任意の長手方向位置に取り付け可能に構成していることを特徴とする請求項１又は２記載の家具。
【請求項４】
隣接する前記支柱間にオプション部材を架設可能にしていることを特徴とする請求項１又は２記載の家具。
【請求項５】
前記オプション部材として天板を架設可能にしていることを特徴とする請求項４記載の家具。
【請求項６】
前記オプション部材として棚を架設可能にしていることを特徴とする請求項４又は５記載の家具。
【発明の詳細な説明】
【技術分野】
【０００１】
本発明は、主としてオフィス等に用いられ、横架材を介して左右１対の支柱を連結する構造を有する家具に関する。
【背景技術】
【０００２】
近時、オフィス等において、上下に延伸する柱状をなし左右１対に設けられる支柱と、左右の支柱の下端部間を接続する横架材とを有するとともに、前記支柱間にオプション部材として天板及び棚を取付可能に構成している家具が考えられている。このような家具においては、天板の直上に棚を取付可能であるので、作業空間と収納空間とを近接させて空間を有効に利用できるとともに、作業の効率化を図ることができる。（例えば、特許文献１参照。）
【特許文献１】特開２００４−２６１３８０号公報
【発明の開示】
【発明が解決しようとする課題】
【０００３】
しかして、特許文献１記載の構成においては、前記支柱間にオプション部材である天板を取り付け、既存の机に代えて前記天板を利用することを前提としていが、既存の机をこの家具の前方に配置して前記支柱間にはオプション部材として棚のみを取り付けるようにする要望が存在する。ところが、特許文献１記載の構成では、支柱の下端から前方に脚を延伸させて設けているので、支柱間の距離と机の幅寸法とを一致させてモジュール化して配置する場合に、家具の脚と机の脚とが干渉し、既存の机がこの家具の前方に配置不可能になる不具合が発生することがある。
【０００４】
本発明は、このような課題を解決すべく構成するものである。
【課題を解決するための手段】
【０００５】
すなわち、本発明に係る家具は、床面上に起立させる複数の支柱と、支柱の下端部間を接続する下横架材と、この下横架材に、該下横架材の長手方向に沿って位置変更可能に取り付けられ、床面に接する脚とを具備することを特徴とする。
【０００６】
このようなものであれば、脚の位置を変更することにより、このような家具の前方に既存の机等を配置する場合において、机等の幅寸法とこの家具の幅寸法とが略一致する場合であっても、この家具の脚を机等の脚と干渉しないようにすることができる。すなわち、支柱間の距離と机の幅寸法とを一致させてモジュール化して配置する態様により好適に対応することができる。
【０００７】
空間に所定の単位長さであるモジュールを設定して空間を区画する態様に好適に対応させるための態様として、前記支柱を、所定の間隔で離間させて設けているものが挙げられる。このようなものであれば、例えばオフィス等において用いられている既存の机等の幅寸法を前記所定の間隔とし、この所定の間隔をモジュールとして設定することにより、机等の幅寸法単位で空間を区画して机等を見栄えよく配置できるからである。
【０００８】
種々の態様の机とともに好適に用いることができるようにするための態様として、前記脚を、前記下横架材の長手方向に沿ってスライド移動可能かつ該下横架材の任意の長手方向位置に取り付け可能に構成しているものが挙げられる。このようなものであれば、机の脚がどのような形状であっても、また、脚に代えて抽斗を有する袖を備えた机をこのような家具とともに用いるような場合であっても、この家具の脚を机の脚や袖に干渉しないように配置することができるからである。
【０００９】
このような家具をより有効に利用することができるようにするための態様として、隣接する前記支柱間にオプション部材を架設可能にしているものが挙げられる。
【００１０】
特に、前記オプション部材として天板を架設可能にしているものであれば、該天板を取り付けることにより、このような家具に机ないしテーブルとしての機能を備えさせ、作業空間を提供することができるとともに、天板下方にワゴン等を収納する場合でも、脚の位置を変更することにより脚とワゴン等とが干渉しないようにできる。
【００１１】
また、前記オプション部材として棚を架設可能にしているものであれば、該棚を取り付けることによりこのような家具に収納具としての機能を備えさせることができるとともに、天板をも架設させた態様においては作業空間と収納空間とを近接して備える家具として機能し、作業の効率化を図ることができる。
【発明の効果】
【００１２】
本発明に係る家具の構成を採用すれば、脚の取付位置を変更することにより、この家具の前方に既存の机等を配置する場合において、机等の幅寸法とこの家具の幅寸法とが略一致する場合であっても、この家具の脚を机等の脚と干渉しないようにすることができる。すなわち、支柱間の距離と机の幅寸法とを一致させてモジュール化して配置する態様により好適に対応することができる。
【発明を実施するための最良の形態】
【００１３】
以下、本発明の一実施形態を、図面を参照して説明する。
【００１４】
本発明に係る家具Ｆは、図１に全体斜視図、図２に正面図、図３に側面図をそれぞれ示すように、床面から起立させ、所定の間隔で３本離間させて設けられる支柱１と、隣接する支柱１、１の下部間を接続する下横架材２と、隣接する支柱１、１の上端部間を接続する上横架材３と、前記下横架材２に左右位置を変更可能に取り付けられ床面に接する脚４とを具備する。また、前記支柱１には、オプション部材たる棚５及びハンガーバー６等を取付可能に構成している。そして、この家具Ｆは、前記図１及び図２において想像線により示す机Ｄと組み合わせて使用される。ここで、隣接する支柱１間の間隔は、前記机Ｄの幅寸法と略同一に設定していて、前記机Ｄの幅寸法をモジュールｍとして設定している。なお、本実施形態では、支柱１の両側面に下横架材２及び上横架材３を取付可能にしている。そして、前記図１〜図３に示すように、両側面に側面カバーＣ１、上面に上面カバーＣ２を取付可能にしている。
【００１５】
より具体的には、前記支柱１は、例えば金属製のもので、高さ寸法の略全域にわたって同一の横断面形状を有する。そして、この支柱１への下横架材２及び上横架材３の取付態様を示す分解斜視図である図４に示すように、この支柱１の下端には、アジャスタ１１を取り付けるようにしているとともに、側面の下端部には、前記下横架材２を取り付けるための雌ねじ孔である第１下横架材取付孔１ｘを設けている。なお、本実施形態では、上述した特許文献１記載の家具の支柱を一側方に配置した状態で該支柱と併用可能にすべく、前記第１下横架材取付孔より上方に変位した部位に、第２下横架材取付孔１ｙを設けている。さらに、側面の上端部には、前記上横架材３を取り付けるための雌ねじ孔である上横架材取付孔１ｚを設けている。そして、詳述はしないが、この支柱１の前後両面には、棚５及びハンガーバー６等のオプション部材を取り付けるためのフック孔を設けている。
【００１６】
前記下横架材２は、例えば金属製のもので、前記図４、及びこの下横架材２を示す図である図５に示すように、左右両端部に、前記支柱１に取り付けるための取付部２１を形成している。この取付部２１は、板状をなすとともに、ボルトＢ１を挿通可能なボルト挿通孔２１ａを有する。そして、前記ボルト挿通孔２１ａを挿通させたボルトＢ１を前記第１下横架材取付孔１ｘに螺着することにより、この下横架材２を互いに隣接する支柱１、１の下端部間に架設させてこれら支柱１、１を接続するようにしている。なお、前記図５の（ａ）にこの下横架材２の正面図、同図の（ｂ）にはこの下横架材２の側面図をそれぞれ示している。
【００１７】
前記上横架材３も、例えば金属製のもので、前記図４に示すように、左右両端部に、前記支柱１に取り付けるための取付部３１を形成している。この取付部３１は、前記支柱の上端に係合可能な係合爪３２と、ボルトＢ２を挿通可能なボルト挿通孔３１ａとを有する。そして、前記係合爪３２を前記支柱１の上端に係合させた状態で、前記ボルト挿通孔３１ａを挿通させたボルトＢ２を前記上横架材取付孔１ｚに螺着してこの上横架材３を互いに隣接する支柱１、１の下端部間に架設させてこれら支柱１、１を接続するようにしている。
【００１８】
前記脚４は、前記図１、前記図２、この脚４の下横架材への取付態様を示す分解斜視図である図６、及びこの脚を示す図である図７に示すように、前記第１取付位置に位置する下横架材２に取り付けた状態で前後方向に延伸する脚本体４１と、この脚本体４１を前記下横架材２に取り付けるための取付部４２とを具備する。前記脚本体４１の下面には、アジャスタを取り付けるようにしている。なお、前記図７の（ａ）には、この脚４の側面図、同図の（ｂ）には、この脚４の正面図、同図の（ｃ）には、この脚４の背面図をそれぞれ示している。
【００１９】
さらに詳述すると、前記脚本体４１は、パイプ状をなして床面に接地する接地部４１ａと、ブロック状をなしこの接地部４１ａの後端部に溶接して取り付けられる補強部４１ｂとを備えている。前記接地部４１ａと前記補強部４１ｂとの溶接は、具体的には、前記接地部４１ａの後端面、及び前記接地部４１ａの側面の後部に予め設けた栓溶接孔４１ｘの縁部を前記補強部４１ｂに溶接して行うようにしている。
【００２０】
一方、前記取付部４２は、前記脚本体４１に固定して設けられ前記下横架材２に当接する第１部材４３と、前記第１部材４３との間で前記下横架材２を挟持可能な第２部材４４と、これら第１部材４３及び第２部材４４の上部を接続する上接続部４５と、これら第１部材４３及び第２部材４４の下部を接続する下接続部４６とを具備する。
【００２１】
前記第１部材４３は、本実施形態では、前記脚本体４１に溶接して固定されている。また、前記図７に示すように、前記下横架材２の背面に対向する背板４３１ａ及び前記下横架材２の下面に対向する底板４３１ｂを備えた下挟持部４３１と、この下挟持部４３１の上端から後上方に延伸し、雌ネジ孔４３ｘを備えている上取付部４３２と、この下挟持部４３１の前端から下方に延伸し、雌ネジ孔４３ｙを備えている下取付部４３３とを具備する。
【００２２】
一方、前記第２部材４４は、前記図７に示すように、前記下横架材２の前面に対向する前板４４１ａ及び前記下横架材２の上面に対向する頂板４４１ｂを備えた上挟持部４４１と、この上挟持部４４１の上端から後上方に延伸し、ネジ挿通孔４４ｘを備えている上取付部４４２と、この上挟持部４４１の下端から下方に延伸し、ネジ挿通孔４４ｙを備えている下取付部４４３とを具備する。また、前記下取付部４４３の幅方向中央部には、前記脚本体４１を収納可能な切り欠き４４３ａを設けている。
【００２３】
前記上接続部４５は、前記図６及び図７に示すように、前記第１部材４３の上取付部４３２に設けられた雌ネジ孔４３ｘと、前記第２部材４４の上取付部４４２に設けられたネジ挿通孔４４ｘと、前記ネジ挿通孔４４ｘに挿通させて前記雌ネジ孔４３ｘに螺着する雄ネジ部材Ｂ３とを利用して構成している。
【００２４】
前記下接続部４６は、前記図６及び図７に示すように、前記第１部材４３の下取付部４３３に設けられた雌ネジ孔４３ｙと、前記第２部材４４の下取付部４４３に設けられたネジ挿通孔４４ｙと、前記ネジ挿通孔４４ｙに挿通させて前記雌ネジ孔４３ｙに螺着する雄ネジ部材Ｂ３とを利用して構成している。
【００２５】
そして、前記下挟持部４３１を前記下横架材２の後下方、前記上挟持部４４１を前記下横架材２の前上方に配し、前記上接続部４５及び前記下接続部４６を機能させることにより、前記下挟持部４３１と前記上挟持部４４１との間に前記下横架材２を挟持した状態でこの脚４を前記下横架材２に取り付けるようにしている。そして、この脚４は、前記雄ネジ部材Ｂ３と前記雌ネジ孔４３ｘ、４４ｙとの螺着をゆるめた状態ないし解除した状態で前記下横架材２に沿ってスライド可能であるとともに、前記横架材２の任意の長手方向位置に取り付けることができる。
【００２６】
棚５は、前記図１及び図２に示すように、支柱１に取付可能な左右１対の取付具５１、５１と、これら取付具５１、５１に左右両側端部を支持させてなる棚板５２とを具備する。前記取付具５１には、支柱１に形成したフック孔に係合可能な係合爪（図示略）を設けていて、これらフック孔と係合爪とを係合させることにより、高さ位置を変更可能にこの取付具５１を支柱１に取付可能にしている。
【００２７】
そして、ハンガーバー６は、前記図１及び図２に示すように、支柱１に取付可能な左右１対の取付具６１、６１と、これら取付具６１、６１に左右両側端部を支持させてなるハンガーバー本体６２とを具備する。前記取付具６１にも、支柱１に形成したフック孔に係合可能な係合爪（図示略）を設けていて、これらフック孔と係合爪とを係合させることにより、高さ位置を変更可能にこの取付具６１を支柱１に取付可能にしている。
【００２８】
なお、詳述はしないが、隣接する前記支柱１、１間には、オプション部材として、前記棚５、ハンガーバー６以外に、板状をなしてこの家具の前方と後方とを区画するパネル要素等を取付可能である。
【００２９】
上述したように、このような家具Ｆの前方には、前記図１及び図２において想像線で示すような机Ｄを配置するようにしているとともに、前記机Ｄの幅寸法をモジュールｍとして設定し、床面を前記モジュールｍ単位に区画するようにしている。その際、机Ｄの脚Ｄ１とこの家具の脚４とが干渉しないようにしつつこの家具Ｆを安定して設定できるようにすべく、前記脚４は、幅方向両端から机Ｄの脚Ｄ１の幅寸法分、又はこの幅寸法よりも大きく内方に変位した位置に取り付けるようにしている。
【００３０】
以上に述べたように、本実施形態に係る家具Ｆは、隣接する支柱１、１の下端部間を接続する下横架材２に、該下横架材２の長手方向に沿って脚４を位置変更可能に取り付けるようにしているので、上述したように、この家具Ｆの前方に机Ｄを配置する際に机の脚Ｄ１とこの家具の脚４とを干渉しない位置に配置することができ、この家具Ｆと既存の机Ｄとを効果的に組み合わせて使用することができる。
【００３１】
また、前記支柱１を、所定の間隔すなわち前記モジュールｍ間隔で離間させて設けているので、床面を前記モジュールｍ単位に区画することができるとともに、どの支柱間にも机Ｄを無理なくかつ見栄えよく配置できる。
【００３２】
前記脚４を、前記下横架材２の長手方向に沿ってスライド移動可能かつ前記下横架材２の任意の長手方向位置に取り付け可能に構成しているので、机Ｄの脚Ｄ１がどのような形状であっても、また、脚Ｄ１に代えて抽斗を有する袖を備えた机をこの家具Ｆとともに用いるような場合であっても、この家具Ｆの脚４を机Ｄの脚Ｄ１や袖に干渉しないように配置することができる。すなわち、この家具Ｆは、種々の態様の机とともに好適に用いることができる。
【００３３】
隣接する前記支柱１、１間に種々のオプション部材を架設可能にしているので、この家具Ｆをより有効に利用することができる。
【００３４】
特に、前記オプション部材として棚５を架設可能にしているので、該棚５を取り付けることによりこのような家具に収納具としての機能を備えさせることができる。
【００３５】
なお、本発明は以上に述べた実施形態に限られない。
【００３６】
例えば、図８に示すように、上述した実施形態の隣接する支柱１、１間に、オプション部材として同図の想像線で示すような天板７を架設可能に構成してもよい。
【００３７】
この天板７は、例えば前記特許文献１に記載の家具の天板と同様の構成を有する。すなわち、支柱１に取付可能な左右１対の取付具７１、７１と、この取付具７１、７１に後部下面側の左右両隅部を支持させてなる天板本体７２と、天板本体７２の前部下面側の左右両隅部を支持する脚７３、７３とを具備する。前記取付具７１には、支柱１に形成したフック孔に係合可能な係合爪（図示略）を設けていて、これらフック孔と係合爪とを係合させることにより、この取付具７１、７１を支柱１、１に取り付けるようにしている。そして、この取付具７１、７１に天板本体７２の後部下面側の左右両隅部を載置させるようにしている。
【００３８】
このようなものであれば、このような家具Ｆに机ないしテーブルとしての機能を備えさせ、作業空間を提供することができる。また、この場合、隣接する支柱１、１間に棚５をも架設可能であるので、これら棚５及び天板７を同一の支柱１、１間に架設することにより、このような家具Ｆが作業空間と収納空間とを近接して備える家具として機能し、作業の効率化を図ることができる。
【００３９】
また、オプション部材として天板７を架設可能に構成する場合、図９に示すように、上述した実施例における支柱１と、前記特許文献１記載のものとして周知の支柱１０とを併せて用いるようにするとともに、前記第２下横架材取付孔１ｙに対応する高さ位置に下横架材２０を取り付けるようにしてもよい。なお、前記図９においても、天板７を想像線で示している。
【００４０】
この支柱１０は、前記図９、及び支柱１と支柱１０との間への下横架材２０及び上横架材３の取付態様を示す分解斜視図である図１０に示すように、高さ寸法の略全域にわたって同一の横断面形状を有する支柱本体１０１と、この支柱本体１０１の下端に取り付けられ前方に延伸する支柱脚１０２とを有する。前記支柱本体１０１は、上述した実施例における支柱１と略同様の基本構成を有する。すなわち、両側面の前記第２下横架材取付孔１ｙに対応する高さ位置に下横架材２を取り付けるための横架材取付孔１０ｙを有するとともに、両側面の上端部には前記上横架材３を取り付けるための雌ねじ孔である上横架材取付孔１０ｚを有する。また、前記下横架材２０は、上述した実施形態における下横架材２と略同様の基本構成を有する。すなわち、左右両端部に前記支柱１、１０に取り付けるための板状の取付部２０１を形成しているとともにボルトＢ１を挿通可能なボルト挿通孔２０１ａを有する。そして、上述した実施例における下横架材２の取り付け態様と同様の手順により、前記支柱１とこの支柱１０との間に前記下横架材２０を取り付けるようにしている。この支柱１０への上横架材３の取り付け態様は、上述した実施例における支柱１への上横架材３の取り付け態様と全く同様である。
【００４１】
一方、図示はしないが、上述した実施例において、隣接する支柱１間に前記天板７を架設する場合、天板７下方にワゴン等を収納しても、脚４の位置を変更することにより脚４とワゴン等とが干渉しないようにできる。
【００４２】
また、この家具と組み合わせる机の種類が限られている場合は、複数箇所設定した脚取り付け箇所に脚を選択的に取り付け可能にする態様も考えられる。
【００４３】
さらに、種々の幅寸法を有する机と組み合わせて使用する場合には、各机の幅寸法に対応する長手寸法を有しそれぞれ長手寸法が異なる横架材を支柱間に取り付けるようにする態様も考えられる。
【００４４】
その他、本発明の趣旨を損ねない範囲で種々に変形してよい。
【図面の簡単な説明】
【００４５】
【図１】本発明の一実施形態に係る家具を示す全体斜視図。
【図２】同実施形態における家具を示す正面図。
【図３】同実施形態における家具を示す側面図。
【図４】同実施形態における支柱への下横架材及び上横架材の取付態様を示す分解斜視図。
【図５】同実施形態における下横架材を示す図。
【図６】同実施形態における下横架材への脚の取付態様を示す分解斜視図。
【図７】同実施形態における脚を示す図。
【図８】本発明の他の実施形態に係る家具を示す全体斜視図。
【図９】本発明の他の実施形態に係る家具を示す全体斜視図。
【図１０】同実施形態における支柱への下横架材及び上横架材の取付態様を示す分解斜視図。
【符号の説明】
【００４６】
Ｆ…家具
１…支柱
２…下横架材
４…脚
５…棚
７…天板
【図１】
2006204770.tif 000003
【図２】
2006204770.tif 000004
【図３】
2006204770.tif 000005
【図４】
2006204770.tif 000006
【図５】
2006204770.tif 000007
【図６】
2006204770.tif 000008
【図７】
2006204770.tif 000009
【図８】
2006204770.tif 000010
【図９】
2006204770.tif 000011
【図１０】
2006204770.tif 000012